(57)【要約】【課題】デュオバイナリ光送信技術を利用したデュオバイナリ光伝送装置を提供する。【解決手段】本発明のデュオバイナリ光伝送装置は、電気的低域通過フィルターを使用することなく、マッハツェンダー干渉計型光強度変調器自体の帯域幅を制限することにより、デュオバイナリ光信号を生成するか、又は、高価な低域通過フィルターの代わりに単一極を有する低域通過フィルターとなる一つのキャパシタを設けることで、低コストで簡易に送信器を具現する。【選択図】  図４
2004173226.tif 000002
【特許請求の範囲】
【請求項１】
ＮＲＺ方式の電気的なパルス信号を生成する信号発生器と、
前記電気的なパルス信号を符号化するプリコーダと、
前記プリコーダから出力される２レベルの電気信号を増幅する増幅器と、
搬送波を出力する光源と、
前記増幅された２レベルの電気信号を３レベルの電気信号に変換し、該変換した３レベルの電気信号により前記搬送波を２レベルの光信号に変調する光強度変調器と、からなることを特徴とするデュオバイナリ光伝送装置。
【請求項２】
前記光強度変調器の帯域幅は、データ伝送速度の１／５程度である請求項１記載のデュオバイナリ光伝送装置。
【請求項３】
前記増幅器により増幅される電気信号の大きさは、前記光強度変調器のスイッチング電圧値の二倍程度である請求項１記載のデュオバイナリ光伝送装置。
【請求項４】
前記光強度変調器は、マッハツェンダー干渉計型光強度変調器である請求項１記載のデュオバイナリ光伝送装置。
【請求項５】
前記マッハツェンダー干渉計型光強度変調器は、
単一電極を有するＸカット構造のマッハツェンダー干渉計型光強度変調器、又は、デュアル電極を有するＺカット構造のマッハツェンダー干渉計型光強度変調器のうちのいずれか一つで構成される請求項４記載のデュオバイナリ光伝送装置。
【請求項６】
前記信号発生器は、パルス信号発生器である請求項１記載のデュオバイナリ光伝送装置。
【請求項７】
ＮＲＺ方式の電気的なパルス信号を生成する信号発生器と、
前記電気的なパルス信号を符号化するプリコーダと、
前記プリコーダから出力される２レベルの電気信号を増幅する増幅器と、
前記増幅された２レベルの電気信号を３レベルの電気信号に変化し、該３レベルの電気信号の帯域幅を低減するキャパシタで構成されたフィルターと、
前記２レベルの光信号を有する搬送波を出力する光源と、
前記３レベルの電気信号により前記搬送波を２レベルの光信号に変調する光強度変調器と、からなることを特徴とするデュオバイナリ光伝送装置。
【請求項８】
前記光強度変調器は、マッハツェンダー干渉計型光強度変調器である請求項７記載のデュオバイナリ光伝送装置。
【請求項９】
前記マッハツェンダー干渉計型光強度変調器は、
単一電極を有するＸカット構造のマッハツェンダー干渉計型光強度変調器、又は、デュアル電極を有するＺカット構造のマッハツェンダー干渉計型光強度変調器のうちのいずれか一つで構成される請求項８記載のデュオバイナリ光伝送装置。
【請求項１０】
前記信号発生器は、パルス信号発生器である請求項７記載のデュオバイナリ光伝送装置。
【請求項１１】
前記フィルターは、単一極を有する低域通過フィルターである請求項７記載のデュオバイナリ光伝送装置。
【発明の詳細な説明】
【０００１】
【発明の属する技術分野】
本発明はデュオバイナリ（ｄｕｏｂｉｎａｒｙ）光送信技術を利用したデュオバイナリ光伝送装置に関する。
【０００２】
【従来の技術】
高密度波長分割多重方式（Ｄｅｎｓｅ  Ｗａｖｅｌｅｎｇｔｈ  Ｄｉｖｉｓｉｏｎ  Ｍｕｌｔｉｐｌｅｘｉｎｇ：ＤＷＤＭ）の光伝送システムは、一つの光ファイバ内に相異なる波長を有する多数のチャネルで構成された光信号を伝送することにより伝送効率を高めることができる。また、伝送速度に関係なく光信号を伝送することができるので、近来の伝送容量が増加している超高速インターネットに有効に使用されている。現在、ＤＷＤＭを使用し１００個以上のチャネルを一つの光ファイバを利用して伝送するシステムが商業化されており、一つの光ファイバに２００個以上の４０Ｇｂ／ｓチャネルを同時に伝送して１０Ｔｂｐｓ以上の伝送速度を有するシステムについての研究も活発に進められている。
【０００３】
しかし、急激なデータトラヒックの増加と４０Ｇｂｐｓ以上の高速データ伝送要求により、既存のＮＲＺ（Ｎｏｎ−Ｒｅｔｕｒｎ  ｔｏ  Ｚｅｒｏ）を利用する光強度変調方法は、５０ＧＨｚのチャネル間隔以下では急激なチャネル間の干渉と歪みにより伝送容量の拡張に限界があり、また、既存のバイナリ（ｂｉｎａｒｙ）ＮＲＺ伝送信号のＤＣ周波数成分と変調時に拡散された高周波成分は光ファイバ媒質での伝播時に非線形と分散をもたらすので、１０Ｇｂｐｓ以上の高速伝送時に、その伝送距離に限界を有する。
【０００４】
近年、光デュオバイナリ技術が色分散（ｃｈｒｏｍａｔｉｃ  ｄｉｓｐｅｒｓｉｏｎ）による伝送距離制限を克服することができる光伝送技術として注目を浴びている。デュオバイナリ伝送技術は一般的なバイナリ伝送に比べて伝送スペクトラムを減少できる利点がある。分散制限システムにおいて、伝送距離は伝送スペクトラム帯域幅の２乗に反比例する。これは、伝送スペクトラムが１／２に減少すると、伝送距離が４倍になることを意味する。さらに、搬送波周波数がデュオバイナリ伝送スペクトラム内で抑圧されるので、光ファイバ内の誘導ブリルアン散乱（ＳＢＳ：ｓｔｉｍｕｌａｔｅｄ  ｂｒｉｌｌｏｕｉｎ  ｓｃａｔｔｅｒｉｎｇ）による出力光電力に対する制限が減少される。
【０００５】
図１は従来のデュオバイナリ光伝送装置の一構成例を示し、図２Ａ〜Ｃは図１のＡ、Ｂ、Ｃノードにおける出力信号のアイダイアグラム（ｅｙｅ−ｄｉａｇｒａｍｓ）を示す。
【０００６】
図１を参照すると、従来のデュオバイナリ光伝送装置は、ＮＲＺ方式の電気的なパルス信号を生成するパルス信号発生器（ＰＰＧ：ｐｕｌｓｅ  ｐａｔｔｅｒｎ  ｇｅｎｅｒａｔｏｒ）１０と、電気的なパルス信号を符号化するプリコーダ（ｐｒｅ−ｃｏｄｅｒ）２０と、プリコーダ２０から出力される２レベル信号を増幅する駆動増幅器３０、３１と、増幅された２レベル信号を３レベル信号に変化させて３レベル信号の帯域幅を低減する低域通過フィルター４０、４１と、搬送波を出力するレーザー光源５０と、増幅された３レベル信号を受信して搬送波を２レベルの光信号に変換させるマッハツェンダー干渉計型光強度変調器（Ｍａｃｈ−Ｚｅｈｎｄｅｒ  ｉｎｔｅｒｆｅｒｏｍｅｔｅｒ  ｔｙｐｅ  ｏｐｔｉｃａｌ  ｉｎｔｅｎｓｉｔｙ  ｍｏｄｕｌａｔｏｒ：ＭＺ−ＭＯＤ）６０と、からなる。
【０００７】
パルス信号発生器１０で生成されたＮＲＺ方式の電気的なパルス信号はプリコーダ２０により０又は１の情報を有するバイナリ信号に符号化される。Ａノードでの出力アイダイアグラムは図２Ａに示したようになる。プリコーダ２０から出力された２レベルのバイナリ信号は駆動増幅器３０、３１により増幅された後、低域通過フィルター４０、４１にそれぞれ入力される。低域通過フィルター４０、４１は２レベルバイナリ信号のクロック周波数の約１／４に該当する帯域幅を有する。このような帯域幅の過度制限によりコード間の干渉が発生し、このコード間の干渉により２レベルバイナリ信号が３レベルのデュオバイナリ信号（３−ｌｅｖｅｌ  Ｄｕｏｂｉｎａｒｙ  ｓｉｇｎａｌ）に変換される。Ｂノードでの出力アイダイアグラムは図２Ｂに示したようになる。
【０００８】
増幅された３レベルデュオバイナリ信号はマッハツェンダー干渉計型光強度変調器６０の駆動信号として利用される。レーザー光源５０から出力された搬送波は、マッハツェンダー干渉計型光強度変調器６０の駆動信号に従って位相及び光強度が変調され、２レベルの光デュオバイナリ信号として出力される。Ｃノードでの出力アイダイアグラムは図２Ｃに示したようになる。図１ではＱはＱの反転（ｉｎｖｅｒｔｅｒ）信号を示し、ＱとＱはデュアル電極（ｄｕａｌ  ｅｌｅｃｔｒｏｄｅ）構造のマッハツェンダー干渉計型光強度変調器６０の正（＋）電極及び負（−）電極にそれぞれ入力される。
【０００９】
このようにマッハツェンダー干渉計型光強度変調器６０は変調器の電極構造に従ってＺカット（ｃｕｔ）構造とＸカット（ｃｕｔ）構造の２種類に区分される。図１に示したように、デュアル電極を有するＺカット構造のマッハツェンダー干渉計型光強度変調器６０の場合、両側アーム（ａｒｍ）にそれぞれ変調器駆動増幅器３０、３１及び電気的低域通過フィルター４０、４１を設けて、両側電極に３レベルの電気信号を印加できるようにする。単一電極（ｓｉｎｇｌｅ  ｅｌｅｃｔｒｏｄｅ）を有するＸカット構造のマッハツェンダー干渉計型光強度変調器の場合（図示せず）は、一側のアームに変調器駆動増幅器及び電気的低域通過フィルターを設けて一側の電極に３レベル信号を印加できるようにする。
【００１０】
図３Ａ及び図３Ｂはデュオバイナリ光伝送装置を利用し単一モード光ファイバを通じて伝送した出力信号のアイダイアグラムを示した図であり、伝送距離０ｋｍ（図３Ａ）〜１６０ｋｍ（図３Ｂ）間において、アイダイアグラムが比較的きれいに維持されていることを確認できる。
【００１１】
しかし、従来のデュオバイナリ光伝送技術は、電気的低域通過フィルターを使用して３レベルの電気信号を発生するので、低域通過フィルターの伝送特性に従う伝送品質の依存性及び疑似ランダムビットシーケンス（ＰＲＢＳ：Ｐｓｅｕｄｏ  ｒａｎｄｏｍ  ｂｉｔ  Ｓｅｑｕｅｎｃｅ）の長さによって特性差が発生し、これによりシステムに致命的な問題をもたらす恐れがあった。一般的に、０レベルから１レベルへの信号レベル変換に沿ったスロープ（ｓｌｏｐｅ）は、１レベルから０レベルへの信号レベル変換に沿ったスロープと異なる。しかし、複数の電気的低域通過フィルターを使用するデュオバイナリ光伝送装置の場合は、相異なるスロープを有する部分が相互に同時に合わされるので、０レベルから１レベルへの第１信号遷移及び１レベルから０レベルへの第２信号遷移が行われると、出力波形のジッター（ｊｉｔｔｅｒ）が大きくなる構造的な短所を有している。これはＺカット又はＸカット構造を有する従来構造で発生し、このような信号パータンの依存性は光伝送時における事実上の限界を与える。
【００１２】
また、デュアル電極を有するＺカット構造のマッハツェンダー干渉計型光強度変調器を使用する場合、プリコーダの出力であるＱとＱ信号が両側アームの低域通過フィルターに入力され、増幅器により増幅された後、変調器の両端に印加される。この時、Ｚカット構造の変調器はプッシュプル（ｐｕｓｈ−ｐｕｌｌ）動作をするので、両端に印加される電気信号は極性が正確に反対にならなければならず、そうでない場合は遅延線（ｄｅｌａｙ  ｌｉｎｅ）を使用して位相を合わせる必要がある。そして、二つの低域通過フィルター及び増幅器も同一の特性を有しなければならない。しかしながら、実際には、若干の製造誤差があるため、正確に同一の特性を有する二つの低域通過フィルター及び増幅器を製造することは不可能である。
【００１３】
加えて、低域通過フィルターに広く使用されているベッセルトムソン（Ｂｅｓｓｅｌ−Ｔｈｏｍｓｏｎ）型の低域通過フィルターが非常に高価であるため、光伝送装置全体の製造コストが増加するといった問題もある。
【００１４】
【発明が解決しようとする課題】
従って、本発明は、このような問題を解決するために案出されたもので、その目的は、高価な電気的低域通過フィルターを使用せず、送信器に使用する部品点数を低減することで製造コストを低減でき、中・長距離ＷＤＭ伝送時の非線形及び分散に対する耐性を増加することのできるデュオバイナリ光伝送装置を提供することにある。
【００１５】
また、本発明の他の目的は、疑似ランダムビットシーケンスに対する伝送特性の影響を受けないデュオバイナリ光送信技術を利用したデュオバイナリ光伝送装置を提供することにある。
【００１６】
【課題を解決するための手段】
このような目的を達成する本発明のデュオバイナリ光伝送装置は、ＮＲＺ方式の電気的なパルス信号を生成する信号発生器と、電気的なパルス信号を符号化するプリコーダと、プリコーダから出力される２レベルの電気信号を増幅する増幅器と、搬送波を出力する光源と、増幅された２レベルの電気信号を３レベルの電気信号に変換し、この変換した３レベルの電気信号により搬送波を２レベルの光信号に変調する光強度変調器と、からなることを特徴とする。
【００１７】
光強度変調器の帯域幅は、データ伝送速度の１／５程度であると好ましい。
【００１８】
増幅器により増幅される電気信号の大きさは、光強度変調器のスイッチング電圧（ｓｗｉｔｃｈｉｎｇ  ｖｏｌｔａｇｅ）値の二倍程度であるとよい。
【００１９】
光強度変調器は、マッハツェンダー干渉計型光強度変調器（ＭＺ−ＭＯＤ）であるとよく、このマッハツェンダー干渉計型光強度変調器は、単一電極を有するＸカット構造のマッハツェンダー干渉計型光強度変調器、又は、デュアル電極を有するＺカット構造のマッハツェンダー干渉計型光強度変調器のうちのいずれか一つで構成されると好ましい。
【００２０】
信号発生器は、パルス信号発生器であるとなおよい。
【００２１】
また、本発明では、ＮＲＺ方式の電気的なパルス信号を生成する信号発生器と、電気的なパルス信号を符号化するプリコーダと、プリコーダから出力される２レベルの電気信号を増幅する増幅器と、増幅された２レベルの電気信号を３レベルの電気信号に変化し、３レベルの電気信号の帯域幅を低減する一つのキャパシタで構成されたフィルターと、２レベルの光信号を有する搬送波を出力する光源と、３レベルの電気信号により搬送波を２レベルの光信号に変調する光強度変調器と、からなることを特徴とするデュオバイナリ光電送装置をも提供する。
【００２２】
光強度変調器は、マッハツェンダー干渉計型光強度変調器（ＭＺ−ＭＯＤ）であるとよく、このマッハツェンダー干渉計型光強度変調器は、単一電極を有するＸカット構造のマッハツェンダー干渉計型光強度変調器、又は、デュアル電極を有するＺカット構造のマッハツェンダー干渉計型光強度変調器のうちのいずれか一つで構成されると好ましい。
【００２３】
信号発生器は、パルス信号発生器であるとよい。
【００２４】
フィルターは、単一極を有する低域通過フィルターであるとなおよい。
【００２５】
【発明の実施の形態】
以下、本発明の望ましい一実施形態について添付図を参照しつつ詳細に説明する。下記の説明において、本発明の要旨のみを明瞭にする目的で、関連した公知機能又は構成に関する具体的な説明は省略する。
【００２６】
図４は本発明の一実施形態に従うデュオバイナリ光伝送装置の構成を示した図である。本実施形態では単一電極構造のＸカットマッハツェンダー干渉計型光強度変調器を使用した構造を説明するが、デュアル電極構造のＺカットマッハツェンダー干渉計型光強度変調器でも実現できることは勿論である。
【００２７】
図４を参照すると、本実施形態のデュオバイナリ光伝送装置は、ＮＲＺ方式の電気的なパルス信号を生成するパルス信号発生器１００と、電気的なパルス信号を符号化するプリコーダ１０１と、プリコーダ１０１から出力された２レベル信号を増幅する駆動増幅器１０２と、搬送波を出力するレーザー光源１０３と、増幅された２レベル信号を受信して３レベルに変換し、この変換した３レベル信号により搬送波を２レベルの光信号に変調するマッハツェンダー干渉計型光強度変調器１０４と、からなる。
【００２８】
パルス信号発生器１００で生成されたＮＲＺ方式の電気的なパルス信号は、プリコーダ１０１により０又は１の情報を有するバイナリ信号に符号化される。Ｒノードでの出力アイダイアグラムを図５Ａに示す。図５Ａに示したように符号化されることにより、受信器での変化を伴わずにデュオバイナリ送受信ができるようになる。プリコーダ１０１から出力された２レベルのバイナリ信号は駆動増幅器１０２により増幅される。この場合、増幅される電気信号の大きさはマッハツェンダー干渉計型光強度変調器１０４のスイッチング電圧（ｓｗｉｔｃｈｉｎｇ  ｖｏｌｔａｇｅ）値の２倍程度にする。増幅された信号は、Ｘカット単一電極構造のマッハツェンダー干渉計型光強度変調器１０４の変調端子ＲＦ（図示せず）に入力され、マッハツェンダー干渉計型光強度変調器１０４自体の低帯域幅により２レベル信号から３レベル信号に変換され、この変換された３レベル信号がレーザー光源１０３から受信した搬送波を２レベルの光信号に変調する。マッハツェンダー干渉計型光強度変調器１０４により２レベル信号が３レベル信号に変換される方法は、図１に示した従来のデュオバイナリ光伝送装置における電気的低域通過フィルターを通過する方法と同一である。
【００２９】
一般的にデュオバイナリ変調方式に使用されるベッセルトムソン低域通過フィルターの帯域幅は、２レベルバイナリ信号のクロック周波数の１／４、即ち２．５ＧＨｚが使用される。しかし、光強度変調器の周波数特性はスロープが小さいので１０Ｇｂｐｓの低域通過フィルターを使用する場合、低域通過フィルターの帯域幅が１．７５ＧＨｚ程度であれば、最適の周波数特性を有するようになる。従って、本実施形態ではマッハツェンダー干渉計型光強度変調器１０４の帯域幅をデータ伝送速度の約１／５程度の低帯域幅を有するようにすることで、帯域幅の過度制限によるコード間の干渉を発生させ、このコード間の干渉により２レベル信号を３レベルに変換する。マッハツェンダー干渉計型光強度変調器１０４の出力であるＳノードでのアイダイアグラムを図５Ｂに示す。参考までに、図６に最適な帯域幅を設定するために利用した多様な帯域幅を有する変調器の周波数特性を示す。
【００３０】
図７Ａ及び図７Ｂは、本発明の好ましい一実施形態によるデュオバイナリ光伝送装置を利用し単一モード光ファイバを通じて伝送した出力信号のアイダイアグラムを示した図である。図７Ａ及び図７Ｂを参照すると、図３Ａ及び図３Ｂのように、伝送距離０ｋｍ（図７Ａ）〜１６０ｋｍ（図７Ｂ）間において、アイダイアグラムが比較的きれいに維持されていることが分かる。
【００３１】
図８は本発明の他の実施形態によるデュオバイナリ光伝送装置の構成を示した図である。本実施形態でも単一電極構造のＸカットマッハツェンダー干渉計型光強度変調器を使用した構造に対して説明をするが、デュアル電極構造のＺカットマッハツェンダー干渉計型光強度変調器でも実現できることは当然である。
【００３２】
図８を参照すると、本実施形態のデュオバイナリ光伝送装置は、ＮＲＺ方式の電気的なパルス信号を生成するパルス信号発生器２００と、電気的なパルス信号を符号化するプリコーダ２０１と、プリコーダ２０１から出力される２レベル信号を増幅する駆動増幅器２０２と、増幅された２レベル信号を３レベル信号に変化して３レベル信号の帯域幅を低減する一つのキャパシタで構成された単一極（ｓｉｎｇｌｅ  ｐｏｌｅ）を有する低域通過フィルター２０３と、搬送波を出力するレーザー光源２０４と、３レベル信号により搬送波を２レベルの光信号に変調するマッハツェンダー干渉計型光強度変調器２０５と、から構成される。
【００３３】
本実施形態の構成は低域通過フィルター２０３を一つのキャパシタＣで構成したことに特徴があり、それ以外の構成は図４と同一であるので、図４で説明した部分の詳細な説明は省略する。
【００３４】
図８において、単一極を有する低域通過フィルター２０３は駆動増幅器２０２とマッハツェンダー干渉計型光強度変調器２０５間に一つのキャパシタＣがシャント（ｓｈｕｎｔ）構造で接続された構成であり、そのキャパシタＣの静電容量により帯域幅が決定される。図９は本実施形態によって具現された低域通過フィルターの周波数特性を示した図である。
【００３５】
図１０Ａ〜図１０Ｃは、本発明の他の実施形態によるデュオバイナリ光送信装置（図８）のＸ、Ｙ、Ｚノードにおける出力信号のアイダイアグラムを示した図である。低域通過フィルターを使用した図１のＡ、Ｂ、Ｃノードにおける出力信号のアイダイアグラムと比較すると、その特性差がほとんどないことを確認できる。
【００３６】
図１１Ａ及び図１１Ｂは本発明の他の実施形態に従うデュオバイナリ光伝送装置を利用し単一モード光ファイバを介して伝送した出力信号のアイダイアグラムを示した図である。図１１Ａ及び図１１Ｂを参照すると、伝送距離０ｋｍ〜１６０ｋｍ間において、アイダイアグラムが比較的きれいに維持されており、図３Ａ及び図３Ｂ、図６Ａ及び図６Ｂの結果と類似していることを確認できる。
【００３７】
図１２は本発明の一実施形態及び他の実施形態に従うデュオバイナリ光伝送装置と従来技術によるデュオバイナリ光伝送装置の伝送距離に応じたＢＥＲ（ｂｉｔ  ｅｒｒｏｒ  ｒａｔｅ）特性を比較して示した図である。図１２において実線は従来のデュオバイナリ送信器を使用した場合を、点線は本発明の一実施形態に従う光強度変調器の帯域幅を制限したデュオバイナリ送信器を使用した場合を、一点鎖線は本発明の他の実施形態に従うキャパシタを利用したデュオバイナリ送信器を使用した場合をそれぞれ示す。図１２では、それぞれの装置に対して０ｋｍ、８０ｋｍ、１６０ｋｍ伝送後のＢＥＲ特性を示しており、伝送距離０ｋｍ〜１６０ｋｍ間において、３種類の送信器が類似したＢＥＲ結果を示すことを確認できる。
【００３８】
以上、具体的な実施形態を参照して説明したが、本発明はこれに限るものでなく、各種の変形が本発明の特許請求の範囲を逸脱しない限り、該当技術分野における通常の知識をもつ者により可能なのは明らかである。
【００３９】
【発明の効果】
上述したように本発明のデュオバイナリ光伝送装置は、ＮＲＺ、ＲＺなどの他の変調方式と比較した場合、２倍以上分散に強く、又、高価な低域通過フィルターを使用することなくデュオバイナリ光信号を生成することができるので、従来の電気的低域通過フィルターを使用した送信器に比べて低コストで簡易に送信器を製造することができる。
【図面の簡単な説明】
【図１】従来のデュオバイナリ光伝送装置の一構成例を示した図。
【図２】図１のＡ、Ｂ、Ｃノードでの出力信号のアイダイアグラムを示した図。
【図３】従来のデュオバイナリ光伝送装置を利用して単一モード光ファイバを通じて伝送した出力信号のアイダイアグラムを示した図。
【図４】本発明の好ましい一実施形態に従うデュオバイナリ光伝送装置の構成を示した図。
【図５】本発明の好ましい一実施形態に従う図４のＲ、Ｓノードにおける出力信号のアイダイアグラムを示した図。
【図６】多様な帯域幅を有する光強度変調器の周波数特性を示した図。
【図７】本発明の好ましい一実施形態に従うデュオバイナリ光伝送装置を利用し単一モード光ファイバを通じて伝送した出力信号のアイダイアグラムを示した図。
【図８】本発明の他の実施形態に従うデュオバイナリ光伝送装置の構成を示した図。
【図９】本発明の他の実施形態に従う低域通過フィルターの周波数特性を示す図。
【図１０】本発明の他の実施形態に従う図８のＸ、Ｙ、Ｚノードにおける出力信号のアイダイアグラムを示した図。
【図１１】本発明の他の実施形態に従うデュオバイナリ光伝送装置を利用し単一モード光ファイバを通じて伝送した出力信号のアイダイアグラムを示した図。
【図１２】本発明の好ましい実施形態に従うデュオバイナリ光伝送装置の伝送距離に応じたＢＥＲ特性の比較図。
【符号の説明】
１００，２００  パルス信号発生器
１０１，２０１  プリコーダ
１０２，２０２  駆動増幅器
１０３，２０４  レーザー光源
１０４，２０５  マッハツェンダー干渉計型光強度変調器
２０３  低域通過フィルター
【図１】
2004173226.tif 000003
【図２】
2004173226.tif 000004
【図３】
2004173226.tif 000005
【図４】
2004173226.tif 000006
【図５】
2004173226.tif 000007
【図６】
2004173226.tif 000008
【図７】
2004173226.tif 000009
【図８】
2004173226.tif 000010
【図９】
2004173226.tif 000011
【図１０】
2004173226.tif 000012
【図１１】
2004173226.tif 000013
【図１２】
2004173226.tif 000014